(57)【要約】【課題】調整時間の短縮および調整の容易化が可能となる治具調整機構を提供する。【解決手段】治具４を支持しかつ回転可能な載置部７ａの回転中心に、外周部に段差を有する板カム２を回転可能に取り付ける取付部７ｂを設け、治具４に、板カム２に当接するカムフォロア３を設け、治具４を支持しかつ板カム２の回転軸に対して接近あるいは離間する方向に移動するスライドテーブルを載置部７ａに設け、引張りばね６の一端を治具４に他端を載置部７ａに取り付け、治具４を回転軸側に付勢してカムフォロア３と板カム２との接触状態を維持させ、板カム２を回転させることによりすべての治具４のピッチを合わせることにより、治具４を調整する。【選択図】  図１
2004195605.tif 000002
【特許請求の範囲】
【請求項１】
支持体上に配置した複数の治具の位置を調整する治具調整機構において、
前記支持体に回転可能に設けられかつ外周部に段差を有する板カムと、前記治具に設けられ前記板カムに当接するカムフォロアと、前記治具を支持しかつ前記板カムの回転軸に対して接近あるいは離間する方向に前記支持体上を移動するスライドテーブルと、前記治具を回転軸側に付勢して前記カムフォロアと前記板カムとの接触状態を維持させる付勢部材とを備えたことを特徴とする治具調整機構。
【発明の詳細な説明】
【０００１】
【発明の属する技術分野】
本発明は治具調整機構に関するものである。
【０００２】
【従来の技術】
以下、図面を参照しながら従来のこの種の治具調整機構を説明する。図３は従来の治具調整機構の概要を模式的に示す説明図であり、１は製品、４は製品を保持する治具、７は、治具４を載置する載置部７ａを有し、この載置部７ａを回転させて治具４を円周方向に移動させるインデックス、１１は治具４を移動させる調整ボルトを示す。載置部７ａには複数の治具４が載置部７ａの回転軸（以下、単に「回転軸」と称する場合には載置部７ａの回転軸を指すものとする）に対してそれぞれ等距離の位置に配置されており、調整ボルト１１は各治具４に対応して回転軸に対して放射状に配置されている。
【０００３】
次に従来の治具調整機構の調整方法について説明する。まず、製品１が数種類あり、治具４によって保持された製品１の中心位置を一定にするためにインデックス７上のすべての治具４の位置を製品１の種類に応じて調整する必要がある。そこで従来においては調整ボルト１１を設け、調整ボルト１１を回転させることにより治具４を移動させて位置を調整していた。
【０００４】
【特許文献１】
特開平８−１４４８号公報
【０００５】
【発明が解決しようとする課題】
しかしながらこのような調整方法および調整機構では、構成上、インデックス７上のすべての治具４を個別に調整する必要があるため、調整する時間がかかるといった問題点があった。
【０００６】
またこのような調整方法では、製品１が変われば製品１の中心位置が変わるため、加工位置の上下方向のずれは製品１の保持位置を変えることで調整し、水平方向の位置は回転軸からの距離を調整することによって製品１の中心を合わす、といった難しい調整を作業者が行う必要があった。
【０００７】
本発明は、このような従来の問題点を解決するものであり、調整時間の短縮化および調整の容易化を可能とする治具調整機構を提供することを目的とする。
【０００８】
【課題を解決するための手段】
前記目的を達成するため、本発明の治具調整機構は、支持体上に配置した複数の治具の位置を調整する治具調整機構において、前記支持体に回転可能に設けられかつ外周部に段差を有する板カムと、前記治具に設けられ前記板カムに当接するカムフォロアと、前記治具を支持しかつ前記板カムの回転軸に対して接近あるいは離間する方向に前記支持体上を移動するスライドテーブルと、前記治具を回転軸側に付勢して前記カムフォロアと前記板カムとの接触状態を維持させる付勢部材とを備えたことを特徴とする。このように構成したことにより、板カムを回転させることにより、板カムの外周部の段差に応じて複数の治具が同時に所定位置に移動するようになり、その結果、調整時間の短縮および調整の容易化が可能となる。
【０００９】
【発明の実施の形態】
以下、本発明の実施の形態について図面を参照しながら説明する。なお、前述した従来の技術における部材と同一の部材については同一符号を用いるものとする。
【００１０】
図１は本発明の一実施形態における治具調整機構の概略を模式的に示す説明図であり、特に、図１（ａ）は平面図、図１（ｂ）は一部の側面図であって、１は製品、２は外周部に凹凸を有する概略円盤状の板カム、３は板カム２に連動するカムフォロア、４は製品１を保持する治具、５はスライドテーブル、６は引張りばね、７は、治具４を載置する載置部７ａを有し、この載置部７ａを回転させて治具４を円周方向に移動させるインデックスを示す。
【００１１】
載置部７ａ上には、載置する治具４の数に対応する数のスライドテーブル５が、回転軸に対して放射方向に沿って移動可能に設けられており、このスライドテーブル５に治具４が固定されている。さらに、治具４には引張りばね６の一端が取り付けられ、他端は載置部７ａにおける回転軸近傍にナットによって固定されている。そのため、治具４は、常時、回転軸側に付勢されている。
【００１２】
載置部７ａの中央部には、回転軸を中心軸とした円柱状の取付部７ｂが立設しており、この取付部７ｂに板カム２が、インデックス７による載置部７ａの回転とは独立して回転可能に設けられており、板カム２の中心軸が載置部７ａの回転軸に一致している。また、治具４にはカムフォロア３が取り付けられており、このカムフォロア３が引張りばね６の付勢によって板カム２の外縁に当接し、その状態が維持される。そして、板カム２外周部の凹凸に応じてカムフォロア３が移動し、それに応じてスライドテーブル５がスライドすることにより、製品１の位置を調整することが可能になる。
【００１３】
図２は板カムの詳細を示す説明図であり、特に、図２（ａ）は平面図、図２（ｂ）は一部の側面図であって、８は規制穴、９は位置決めピン、１０はハンドルを示す。
【００１４】
板カム２は中央に開口を有するリング状の部材であり、板カム２の外周は、３段階の段差Ａ，Ｂ，Ｃが連なる渦状に形成されている。すなわち、段差Ａの半径をＲA、同様に段差Ｂ，Ｃのそれぞれ半径をＲB，ＲCとすると、ＲA＞ＲB＞ＲCの関係にあり、図２に示すように、時計回りにＣ，Ｂ，Ａ，Ｃ，Ｂ，Ａ，……，Ａの順で段差が形成されている。また、１つの連続する段差Ａ，Ｂ，Ｃの組において、段差の両端と回転中心とを結ぶ領域内に、格段差に対応して１つずつ規制穴８が中心から等距離の位置に設けられている。さらに、板カム２の表面には板カム２を回転させるためのハンドル１０が設けられている。
【００１５】
また、取付部７ｂの最上部には位置決めピン９を支持する支持部が設けられており、取付部７ｂに板カム２を装着した場合、規制穴８の上部に位置決めピン９が位置し、位置決めピン９を上下させることにより、位置決めピン９が規制穴８に嵌合して板カム２の回転が規制される。
【００１６】
次に本実施形態の治具調整機構による調整方法について説明する。製品１の大きさに対応させるために、インデックス７上すべての治具４の前後ピッチを変更させたい時、まず、板カム２を規制している位置決めピン９を規制穴８から外し、ハンドル１０により板カム２を回転させる。
【００１７】
板カム２にはあらかじめ製品の大きさ・種類に応じた段差が設けられており、図２ではＡ，Ｂ，Ｃ３種類の段差を治具４の数だけ設けている。治具４は、引張りばね６により、回転中心に引張られており、カムフォロア３を介して板カム２の大きさにより前後に動くようになっている。その結果、板カム２を回転させることにより、すべての治具４を一括して前後ピッチを変更することを可能としている。
【００１８】
治具４の前後ピッチ（製品１が変わることによって生じる治具４の調整量）を変更した後、位置決めピン９を規制穴８に嵌合させることにより、調整が完了する。
【００１９】
【発明の効果】
以上説明したように本発明によれば、複数の種類の製品に合わせ、インデックス上の複数の治具を個々に調整せずに、治具に設けたカムフォロアを板カムに常時当接させた状態を付勢部材により維持し、この状態で板カムを回転させることによって板カム外周部の段差に応じて治具が移動するため、すべての治具を一括して調整することが可能になり、その結果、調整時間の短縮化および調整の容易化が可能となる。
【図面の簡単な説明】
【図１】本発明の一実施形態における治具調整機構の概略的に模式的に示す説明図
【図２】板カムの詳細を示す説明図
【図３】従来の治具調整機構の概要を模式的に示す説明図
【符号の説明】
１  製品
２  板カム
３  カムフォロア
４  治具
５  スライドテーブル
６  引張りばね
７  インデックス
７ａ  載置部
７ｂ  取付部
８  規制穴
９  位置決めピン
１０  ハンドル
【図１】
2004195605.tif 000003
【図２】
2004195605.tif 000004
【図３】
2004195605.tif 000005